(57)【要約】【課題】  流量計を構成する管状体の内壁面に付着した付着物を確実に且つ効率的に洗浄除去することができる流量計管状体の清掃用配管構造及びその配管構造を用いた付着物除去方法を提供する。【解決手段】  流体が流入する入口側で管路内を通過する流体の流路を制御する入口弁２０と、流体が流出する出口側で管路内を通過する流体の流路を制御する出口弁３０と、一端に入口弁２０との接続部及び他端に出口弁３０との接続部を有すると共に、内部に流体が流入する管状体を有する流量計１０とを備え、流量計１０の一端に入口弁２０を接続させると共に、出口弁３０と流量計１０の出口弁側の接続部との間にＹ字形状からなる管路４０を接合させて、入口弁２０から出口弁３０に至る本流路から分岐する分岐流路となるバイパス路４１を設けるようにした。【選択図】図５
2010133792.tif 000002
【特許請求の範囲】
【請求項１】
流体が流入する入口側で管路内を通過する流体の流路を制御する入口弁と、流体が流出する出口側で管路内を通過する流体の流路を制御する出口弁と、一端に前記入口弁との接続部及び他端に前記出口弁との接続部を有すると共に、内部に流体が流入する管状体を有する流量計とを備え、
前記流量計の一端に前記入口弁を接続させると共に、前記出口弁と前記流量計の出口弁側の接続部との間にＹ字形状からなる管路を接合させて、前記入口弁から前記出口弁に至る本流路から分岐する分岐流路を設けるようにしたことを特徴とする流量計管状体の清掃用配管構造。
【請求項２】
前記流量計の管状体は入口側と出口側とで断面積が異なるテーパ管路であり、その管状体に計測用の目盛が付されている部位が透明部材又は半透明部材で形成されていることを特徴とする請求項１又は２に記載の流量計管状体の清掃用配管構造。
【請求項３】
前記Ｙ字形状からなる管路は、垂直方向に延びる流路に対して鋭角方向に延びたバイパス路を有するＹ管であり、そのバイパス路の後端部に取外可能なプラグが取付けられていることを特徴とする請求項１〜３の何れか一項に記載の流量計管状体の清掃用配管構造。
【請求項４】
流体が流入する入口側で管路内を通過する流体の流路を制御する入口弁と、流体が流出する出口側で管路内を通過する流体の流路を制御する出口弁と、一端に前記入口弁との接続部及び他端に前記出口弁との接続部を有すると共に、内部に流体が流入する管状体を有する流量計とを具備して構成される配管構造を用いた付着物除去方法であって、
前記流量計の一端に前記入口弁を接続させると共に、前記出口弁と前記流量計の出口弁側の接続部との間にＹ字形状からなる管路を接合し、前記入口弁から前記出口弁に至る流路上に分岐流路を設けて、前記出口弁を閉止する一方で前記入口弁を開放した後、前記分岐流路の逆流側から清掃器具又は洗浄水を挿入又は導入するようにしたことを特徴とする配管構造を用いた付着物除去方法。
【発明の詳細な説明】
【技術分野】
【０００１】
本発明は、流量計管状体の清掃用配管構造及びその配管構造を用いた付着物除去方法に関し、特に面積式流量計に適用して有用なものである。
【背景技術】
【０００２】
従来から、例えば、発電所設備に設置されている脱硫装置などにおいて、流入される流体の流量を調整する際の流量計測などに用いられる流量計（例えば、面積式流量計）では、水などの流体を通水して使用していると、流量計を構成する管状体の内壁面に汚れ（例えば、藻やコケ）などの付着物が付着する。特に、管状体がガラス管で形成されている場合には、ガラス管に付されている計測用の目盛が見え難くなってしまい、流量計測などの業務に支障をきたす虞があった。
【０００３】
そこで、脱硫装置から流量計本体を取外して、設備外の場所に流量計を運搬した後にガラス管の内壁面を定期的に清掃する清掃作業が必要であった。このような流量計が、例えば、脱硫装置の冷却塔及び吸収塔の循環ポンプの流量調整に使用されている場合には、複数台設置されている循環ポンプに対してそれぞれ清掃作業が発生するため、非常に労力を伴ってしまうという問題もあった。
【０００４】
一方、上述のような清掃作業には、効率化や正確さが要求されている。具体的には、作業時間を短縮させることに伴う作業性の向上や、流量計の取付け・取外し、運搬作業に伴って発生する発電支障などのトラブルを確実に回避することができるような設備環境を構築することが望まれていた。つまり、流量計本体を設置したままの状態で管状体の内壁面の清掃作業が実施できる配管構造や方法などの提案が必要であった。
【０００５】
ここで、新たな配管構造を提案する技術として、例えば、汚水桝の改修工法及びそれに使用する器具（特許文献１参照）、及び雨水分流構造及び雨水利用システム（特許文献２参照）等がある。
【０００６】
【特許文献１】特開平８−３１１９８６号公報（特許請求の範囲等）
【特許文献１】特開２００７−２３１７０９号公報（特許請求の範囲等）
【発明の開示】
【発明が解決しようとする課題】
【０００７】
しかしながら、特許文献１に記載された技術では、汚水桝に通じる配管内の汚水の流れを止めないように、汚水が流入する流路に所定の形状からなる配管や器具を接続又は設置することで、汚水桝を空にする作業をすることなく、汚水桝の破損状態の検査や修理をすることを可能にしている。つまり、特許文献１では、配管流路上に所定の配管や器具を取り付けて汚水の処理ルートを変換させているだけであり、流体が通過する配管内（管状体）に既に付着した汚れなどを根本的に洗浄除去するような清掃作業に適用できるものではない。
【０００８】
また、特許文献２に記載された技術では、雨水管の途中に設置する分岐構造として、両Ｙ管を使用し、両Ｙ管の一口をゴミ取り出し口として使用し、両Ｙ管の本管内のゴミ取り出し口より低い位置から他方の雨水取水口の上部にかけて斜めにゴミ受け網を設置し、ゴミ取り出し口に蓋を設置するようにしている。つまり、特許文献２では、両Ｙ管を用いて雨水管用の配管を改造することで、雨水を給排水しない方の分岐管路をゴミ取り出し口用にしており、雨水にまじって流れ落ちた落ち葉などの堆積したゴミ（既に雨水から分離されたゴミ）を除去するだけであり、流体が通過する配管内（管状体）に既に付着した汚れなどを根本的に洗浄除去するような清掃作業に適用できるものではない。
【０００９】
本発明はかかる事情に鑑み、流量計を構成する管状体の内壁面に付着した付着物を確実に且つ効率的に洗浄除去することができる流量計管状体の清掃用配管構造及びその配管構造を用いた付着物除去方法を提供することを目的とする。
【課題を解決するための手段】
【００１０】
上記目的を達成するための本発明の第１の態様は、流体が流入する入口側で管路内を通過する流体の流路を制御する入口弁と、流体が流出する出口側で管路内を通過する流体の流路を制御する出口弁と、一端に前記入口弁との接続部及び他端に前記出口弁との接続部を有すると共に、内部に流体が流入する管状体を有する流量計とを備え、前記流量計の一端に前記入口弁を接続させると共に、前記出口弁と前記流量計の出口弁側の接続部との間にＹ字形状からなる管路を接合させて、前記入口弁から前記出口弁に至る本流路から分岐する分岐流路を設けるようにしたことを特徴とする流量計管状体の清掃用配管構造にある。
【００１１】
かかる第１の態様では、入口弁から出口弁に至る本流路から分岐する分岐流路を設けるようにしたことで、流量計を取外す作業を行わなくても管状体の内壁面を清掃することができる。このため、流量計を取外したり取り付けたりする手間が省け、効率的に清掃作業を実施することができる。
【００１２】
本発明の第２の態様は、前記流量計の管状体は入口側と出口側とで断面積が異なるテーパ管路であり、その管状体に計測用の目盛が付されている部位が透明部材又は半透明部材で形成されていることを特徴とする第１又は２の態様に記載の流量計管状体の清掃用配管構造にある。
【００１３】
かかる第２の態様では、管状体の形状に関係なく、例えば、管状体がテーパ管路であっても目盛の部位を優先的に洗浄することができると共に、汚れなどの付着物が付着している部位（位置）を確認しながら確実に除去することができる。
【００１４】
本発明の第３の態様は、前記Ｙ字形状からなる管路は、垂直方向に延びる流路に対して鋭角方向に延びたバイパス路を有するＹ管であり、そのバイパス路の後端部に取外可能なプラグが取付けられていることを特徴とする第１〜３の何れか一つの態様に記載の流量計管状体の清掃用配管構造にある。
【００１５】
かかる第３の態様では、Ｙ管のバイパス路を用いて管状体の斜め上部から確実に内壁面の清掃を実施することができる。
【００１６】
本発明の第４の態様は、流体が流入する入口側で管路内を通過する流体の流路を制御する入口弁と、流体が流出する出口側で管路内を通過する流体の流路を制御する出口弁と、一端に前記入口弁との接続部及び他端に前記出口弁との接続部を有すると共に、内部に流体が流入する管状体を有する流量計とを具備して構成される配管構造を用いた付着物除去方法であって、前記流量計の一端に前記入口弁を接続させると共に、前記出口弁と前記流量計の出口弁側の接続部との間にＹ字形状からなる管路を接合し、前記入口弁から前記出口弁に至る流路上に分岐流路を設けて、前記出口弁を閉止する一方で前記入口弁を開放した後、前記分岐流路の逆流側から清掃器具又は洗浄水を挿入又は導入するようにしたことを特徴とする配管構造を用いた付着物除去方法にある。
【００１７】
かかる第４の態様では、出口弁を閉止する一方で入口弁を開放した状態で、分岐流路の逆流側から清掃器具又は洗浄水を挿入又は導入して確実に且つ効率的に管状体を清掃することができる。
【発明の効果】
【００１８】
本発明によれば、流量計を構成する管状体（ガラス管）の内壁面に付着した付着物を確実に且つ効率的に洗浄除去することができる流量計管状体の清掃用配管構造及びその配管構造を用いた付着物除去方法を提供することができる。
【発明を実施するための最良の形態】
【００１９】
以下、本発明を実施するための最良の形態について説明する。なお、本実施形態の説明は例示であり、本発明は以下の説明に限定されない。
【００２０】
図１は、本実施形態に係る流量計の使用方法を説明する概略構成図（Ｙ管なし）であり、図２は、本実施形態に係る流量計管状体の清掃用配管構成を示す概略構成図（Ｙ管あり）である。
【００２１】
図１には、面積式流量計（ローターメーター）１０が示されている。ここで、面積式流量計（以下、単に「流量計」という）１０とは、上端が下端より拡がった円錐状の管状体（テーパー管）１１の中にフロート（浮子）１２を入れたもので、管状体１１に導入される流量の大小によってフロート１２が上下移動した際に、釣り合う位置を読み取って流量を求める装置である。
【００２２】
そして、管状体１１には計測用の目盛が付されており、この目盛が付されている部位が透明部材又は半透明部材で形成されている。なお、本実施形態では、管状体１１がガラス管で形成されているものとして説明する。
【００２３】
図１に示すように、流量計１０を使用するための構成としては、流体が流入する入口側で管路内を通過する流体の流路を制御する入口弁２０と、流体が流出する出口側で管路内を通過する流体の流路を制御する出口弁３０と、一端に入口弁２０との接続部となるフランジ部１３及び他端に出口弁３０との接続部となるフランジ部１４を有すると共に、内部に流体が流入する管状体１１を有する流量計１０とを備える。
【００２４】
さらに、入口弁２０は、流量計１０や脱硫装置などの各配管との接続部となるフランジ部２１及び２２を有すると共に、入口側流路の開閉動作を調整する調整部２３を有する。一方、出口弁３０は、流量計１０や脱硫装置などの各配管との接続部となるフランジ部３１及び３２を有すると共に、出口側流路の開閉動作を調整する調整部３３を有する。
【００２５】
そして、流量計１０の一端に入口弁２０が接続されると共に、他端に出口弁３０が接続されることで、図示する流れ方向に向かって流入した流体の流量を測定することができる。
【００２６】
ここで、流量計１０の主要部を構成する管状体１１はガラス管で形成されているため、使用を繰り返すことで管状体１１の内壁面には藻などの汚れやスケールなどの付着物が付着する。このような汚れ等を放置しておくと、ガラス管に付されている目盛の読取ができなくなり、流量計測の業務に支障をきたすこととなる。このため、流量計１０の清掃作業として管状体１１を流量計１０から取外して、専用の施設に運搬した後に、管状体１１の内壁面に付着した汚れなどの付着物の除去作業を行っていた。
【００２７】
そこで、本実施形態では、管状体１１を掃除する度に取外す作業を実施しなくてもいいように、図２のＡ部に示すＹ字形状からなる管路４０（「Ｙ管」ともいう）を流量計１０のフランジ部１４と出口弁３０のフランジ部３１との間に接合させて、入口弁２０から出口弁３０に至る本流路から分岐する分岐流路を別途設けるようにした。つまり、本実施形態では、流量計１０の下流側にＹ字形状からなる管路４０を取り付けたことで、入口弁２０から流入した流体が出口弁３０を通過して流出する本流路とは別に、本流路の途中から分岐して出口弁３０を通過しない分岐流路を設けることで、流量計測用の流路とは別に清掃用の流路を形成した。
【００２８】
ここで、上述したＹ管４０の構造についてさらに説明する。図３は、本実施形態に係る流量計管状体を清掃する際の配管構成の要部（Ｙ管）を示す正面図である。
【００２９】
図示するように、Ｙ管４０は、垂直方向に延びる本流路（図示する矢印方向）に対して鋭角方向に延びたバイパス路４１を有しており、そのバイパス路４１の後端部に取外可能なプラグ４２が取り付けられるように構成されている。そして、Ｙ管４０は、流量計１０の一端（本実施形態では、フランジ部１４）との接続部となるフランジ部４３、及び出口弁３０の一端（本実施形態では、フランジ部３１）との接続部となるフランジ部４４を有する。
【００３０】
ここで、鋭角方向に延びるバイパス路４１は、垂直方向に延びる本流路に対してα度の角度を有して形成される。また、鋭角方向α度の基点となる高さＨは、フランジ部４４から所定の長さ、例えば、バイパス路４１の延長線がフランジ部４４の端部に交わらない程度の長さを有していることが好ましい。鋭角方向α度の基点となる高さＨが短くなると、バイパス路４１を用いて清掃作業をする際に、挿入する清掃器具などがフランジ部４４と接触してしまい、効率的な清掃作業の妨げとなるからである。
【００３１】
次に、上述のようにＹ管４０を取り付けた状態で実施できる清掃作業について説明する。図４は、本実施形態に係る流量計管状体の清掃方法を説明する図である。
【００３２】
まず、調整部２３を動作させて入口弁２０を閉止すると共に、調整部３３を動作させて出口弁３０を閉止する。そして、Ｙ管４０のプラグ４２を外して、バイパス路４１から清掃用の清掃器具としてブラシ５０を挿入する。
【００３３】
ここで、挿入したブラシ５０で管状体１１（ガラス管）の内壁面を磨くことで付着した付着物が除去される。このとき、管状体１１の内部には、壁面から剥離した付着物が浮遊した状態となっている。
【００３４】
そして、バイパス路４１からブラシ５０を抜き取って、入口弁２０を微開にした状態でバイパス路４１から管状体１１に浮遊している付着物を排水する。再び、Ｙ管４０にプラグ４２を取り付けて、調整部２３及び調整部３３を動作させて入口弁２０及び出口弁３０の双方を開放する。
【００３５】
上述したように、本実施形態では、図４に例示するように、分岐流路を用いて、管状体１１の右斜め上部から流量計１０の内部に清掃用のブラシ５０を挿入することができる。この場合、バイパス路４１の角度が水平に近い程、柔らかい素材のブラシを用いることが好ましい。
【００３６】
また、本実施形態では、管状体１１として入口側と出口側とで断面積が異なるテーパ管路を想定している。この場合、管状体１１は、流体の出口側よりも流体の入口側の管路径の方が狭くなり、またフロート１２が管状体１１の下部（入口側）にあるため、清掃のし易さを考慮してＹ管４０を管状体１１の上部に取り付けているが、特に限定されず、入口弁２０と流量計１０との間、つまり管状体１１の下部（入口側）に取り付けるようにしてもよい。この場合、斜め下部から管状体１１の内部にブラシ５０を挿入することができる形状のＹ管を所定の方向に取り付けるようにすればよい。
【００３７】
また、上述した実施形態では、清掃作業においてバイパス路４１からブラシ５０を挿入するようにしているが、これに限定されず、例えば、入口弁２０を微開にすることで他の流路系統に影響を与える場合などは、バイパス路４１から洗浄水を導入するようにしてもよい。
【００３８】
ここで、洗浄水を使用して清掃作業を実施する場合について説明する。図５は、本実施形態に係る流量計管状体の清掃用配管構成の使用態様を説明する図である。
【００３９】
図５（ａ）に示す図には、通常の状態で流量計１０を使用する場合の流体の流れ方向を示しており、図５（ｂ）に示す図には、流量計１０を使用して管状体１１を清掃する場合の流体の流れ方向が示されている。
【００４０】
ここで、通常時の流路と清掃時の流路の切り替えは、入口弁２０及び出口弁３０を開閉操作することで調整される。具体的には、通常時は、入口弁２０及び出口弁３０の双方が開放した状態となっている。一方、清掃時は、入口弁２０が開放したままで出口弁３０が閉止する状態となるように流路の切り替えを実施する。この場合、清掃時の入口弁２０は、管状体１１の流体が適度に流出するように、微開であることが望ましい。
【００４１】
上述のように流路構成を制御することで、本実施形態では、分岐流路の逆流側（入口弁２０からの流路に対して）から清掃器具（ブラシ５０）に加えて、洗浄水を導入して管状体１１の内壁面を清掃することもできる。この場合の洗浄水としては、例えば、洗浄用に成分が調整された液体が挙げられる。
【００４２】
以上説明したように、本実施形態では、流量計１０の上部と出口弁３０との間にＹ管４０を接合させて入口弁２０から出口弁３０に至る本流路から分岐する分岐流路としてバイパス路４１を設けるようにしたため、このバイパス路４１を用いて管状体１１を清掃するための清掃器具や洗浄水を導入することができる。これにより、その都度、流量計１０を取外して清掃場所に運搬する作業を行わなくても、汚れ具合に応じて迅速に管状体１１を洗浄したり、内壁面に付着した汚れを確実に除去したりすることができる。また、バイパス路４１を用いて清掃器具や洗浄水を適宜導入することができるため、清掃目的に応じて効率的に作業を遂行することもできる。
【００４３】
また、例えば、上述した本実施形態に係る流量計１０の配管構造を脱硫装置の冷却塔及び吸収塔の循環ポンプの流量調整に用いる場合などであっても、流量計１０の管状体１１を設置したままの状態で清掃作業を実施することができるため、清掃作業時間を短縮させることで補機の停止時間を短縮させることができると共に、流量計の取付け・取外し作業に伴う発電支障などのリクスを回避させて設備全体の信頼性を維持させることもできる。
【図面の簡単な説明】
【００４４】
【図１】本実施形態に係る流量計の使用方法を説明する概略構成図（Ｙ管なし）である。
【図２】本実施形態に係る流量計管状体の清掃用配管構成を示す概略構成図（Ｙ管あり）である。
【図３】本実施形態に係る流量計管状体を清掃する際の配管構成の要部（Ｙ管）を示す正面図である。
【図４】本実施形態に係る流量計管状体の清掃方法を説明する図である。
【図５】本実施形態に係る流量計管状体の清掃用配管構成の使用態様を説明する図である。
【符号の説明】
【００４５】
１０  流量計
１１  管状体
１２  フロート
１３、１４、２１、２２、３１、３２、４３、４４  フランジ部
２０  入口弁
２３、３３  調整部
３０  出口弁
４０  Ｙ管
４１  バイパス路
４２  プラグ
【図１】
2010133792.tif 000003
【図２】
2010133792.tif 000004
【図３】
2010133792.tif 000005
【図４】
2010133792.tif 000006
【図５】
2010133792.tif 000007